(57)【要約】【課題】  電子体温計のデザインにかかわらず、電子体温計において容易に液密状態が得られるようにする。【解決手段】  尾部と先端部とを持つ筐体３０４と、筐体の尾部に着脱可能に取り付けられる筐体キャップ３０３とを備える電子体温計であって、筐体キャップ３０３は、筐体３０４に挿入される挿入部３０３ａを備え、挿入部３０３ａは挿入方向の先端に、筐体３０４と挿入部３０３ａとの間にある隙間を液密に塞ぐ弾性のパッキング３０３ｂを備え、筐体３０４の尾部は、筐体キャップ３０３が挿入される挿入口と、筐体３０４の挿入口から筐体３０４の先端部に向って、挿入部３０３ａを案内する案内部３０４ａと、挿入部３０３ａのパッキング３０３ｂに密着し、筐体キャップ３０３と筐体３０４とを嵌合させる嵌合部３０４ｂとを備え、案内部３０４ａの内周長は、パッキング３０３ｂの外周長より大きく、嵌合部３０４ｂの内周長は、パッキング３０３ｂの外周長より小さいくなっていることを特徴とする。【選択図】  図４
2011137668.tif 000002
【特許請求の範囲】
【請求項１】
体温測定を行うための構成部品を収容し、先端部には測温部を含む金属キャップを備え、開口した尾部とを持つ筐体と、前記筐体の前記尾部に着脱可能に取り付けられる筐体キャップとを備える電子体温計であって、
前記筐体キャップは、前記筐体に挿入される挿入部を備え、
前記挿入部は挿入方向の先端に、前記筐体と前記挿入部との間にある隙間を液密に塞ぐ弾性のパッキングを備え、
前記筐体の尾部は、
前記筐体キャップが挿入される挿入口と、
前記挿入口から前記筐体の先端部に向って、前記挿入部を案内する案内部と、前記挿入部の前記パッキングに密着し、前記筐体キャップと前記筐体とを嵌合させる嵌合部とを備え、
前記案内部の内周長は、前記パッキングの外周長より大きく、
前記嵌合部の内周長は、前記パッキングの外周長より小さくなっていることを特徴とする、電子体温計。
【請求項２】
前記筐体と、前記筐体キャップとがなす接線は、直線でないことを特徴とする、請求項１に記載の電子体温計。
【請求項３】
前記筐体と、前記筐体キャップとがなす接線は、曲線であることを特徴とする、請求項１に記載の電子体温計。
【請求項４】
前記筐体は、その正面に表示部を備え、その側面に窪みを備えることを特徴とする、請求項１乃至３に記載の電子体温計。
【請求項５】
前記筐体の背面を下向きにし、前記電子体温計を平らな表面の上に置いたとき、前記筐体の背面には前記平らな表面と接する、直線状に並ばない３点以上の構造が設けられていることを特徴とする、請求項１乃至４に記載の電子体温計。
【請求項６】
前記直線状に並ばない３点以上の構造は、前記筐体の先端部と、前記筐体の背面に設けられた平面部でなることを特徴とする、請求項５に記載の電子体温計。
【請求項７】
前記直線状に並ばない３点以上の構造は、前記筐体の先端部と、前記筐体の背面に設けられた二つ以上の突起部でなることを特徴とする、請求項５又は６に記載の電子体温計。
【発明の詳細な説明】
【技術分野】
【０００１】
本発明は、被検者の体温を測定する電子体温計に関するものである。特に被検者の腋下の体温を測定する電子体温計に関するものである。
【背景技術】
【０００２】
従来より、被検者の体温を測定する電子体温計として、サーミスタを用いて温度計測値を取得する電子体温計が知られている。電子体温計は、一般的にプラスチックのような樹脂の筐体と、その尾部に取り付けられる筐体キャップで構成され、筐体の先端部に温度検出部を形成している（特許文献１）。
【０００３】
従来の棒状の電子体温計の形の一例として、図１に示されたようなものがある。電子体温計１００は、その先端に配置され、被検者に接触する、サーミスタを内蔵する金属製キャップ１０２と、電子体温計１００の尾部に配置される筐体キャップ１０３と、電子体温計１００の本体を形成する筐体１０４とで構成される。測定結果は表示部１０１に表示される。このような従来の電子体温計は、消費者のニーズにこたえるため、測定の正確性、使い勝手の良さなどの性能面だけでなく、電子体温計の外観に関するデザイン面においても様々な改良が行われている。例えば、図１の電子体温計１００のシンプルな四角いデザインとは異なる、滑らかな曲線輪郭を持つようなものなど、多様なデザインの電子体温計が提供されている。
【先行技術文献】
【特許文献】
【０００４】
【特許文献１】特開平０５−１９６５０８号公報
【発明の概要】
【発明が解決しようとする課題】
【０００５】
電子体温計は、アルコール液や消毒液などに頻繁に触れるため、液密状態を常に保つ必要がある。そのため、筐体キャップ１０３の挿入部１０３ａには、筐体１０４の内壁に対して液密状態に密着するパッキング１０３ｂが用いられる。パキング１０３ｂは、ゴムなどの弾性素材で構成されており、挿入部１０３ａを筐体１０４に挿入すると筐体１０４の内壁の圧力によって圧縮され、その輪郭にフィットする形に変形し、挿入部１０３ａと筐体１０４の間にある隙間を塞ぐ。
【０００６】
パッキング１０３ｂを用いて液密状態を得るためには、均等な圧力がパッキング１０３ｂの全体にかかることが望ましい。即ち、パッキング１０３ｂの一部に過剰な圧力がかかると、その部分は他の部分より変形の程度が大きくなり、パッキング１０３ｂの変形が全体的に均等にならない可能性がある。従って、パッキング１０３ｂによる密閉の効果が不完全になり得、液漏れが発生する恐れがある。
【０００７】
このような問題は、図１の従来の電子体温計１００のデザインであれば生じ難い問題である。電子体温計１のキャップ１０３と筐体１０４との接線１１０は直線になっているため、挿入部１０３ａを筐体４に挿入する時、図１（Ｂ）に示されているようにまずパッキング１０３ｂの全長が筐体１０４の壁に接触するようになり、その状態からキャップ１０３を押し込むことで図１（Ｃ）に示された密閉状態になる。結果として、パッキング１０３ｂは均一に変形することができ、完全な密閉状態が得られる。
【０００８】
しかし、例えば図２に示されたように、筐体２０４とキャップ２０３との接線が直線でない場合は、パッキング２０３ｂの一部が筐体２０４に接触し、その部分だけが先に変形してしまい、パッキング２０３ｂの均一な圧力をかけることは出来なくなる。図２（Ｂ）に示されているように、キャップ２０３と筐体２０４の接線が曲線になっている場合、点線で囲まれた部位においてパッキング２０３ｂの一部が筐体２０４によって先に変形する。従って、キャップ２０３と筐体２０４の間には密閉されていない隙間が存在し得、電子体温計２００を液密状態に保つことが難しくなる。このように外観のデザインを変えても液密状態を保つことができる電子体温計が求められている。
【０００９】
本発明は上記課題に鑑みてなされたものであり、電子体温計のデザインにかかわらず、電子体温計において容易に確実に液密状態が得られるようにすることを目的とする。
【課題を解決するための手段】
【００１０】
上記の目的を達成するために、本発明に係る電子体温計は以下のような構成を備える。即ち、
体温測定を行うための構成部品を収容し、先端部には測温部を含む金属キャップを備え、開口した尾部とを持つ筐体と、前記筐体の前記尾部に着脱可能に取り付けられる筐体キャップとを備える電子体温計であって、
前記筐体キャップは、前記筐体に挿入される挿入部を備え、
前記挿入部は挿入方向の先端に、前記筐体と前記挿入部との間にある隙間を液密に塞ぐ弾性のパッキングを備え、
前記筐体の尾部は、
前記筐体キャップが挿入される挿入口と、
前記挿入口から前記筐体の先端部に向って、前記挿入部を案内する案内部と、前記挿入部の前記パッキングに密着し、前記筐体キャップと前記筐体とを嵌合させる嵌合部とを備え、
前記案内部の内周長は、前記パッキングの外周長より大きく、
前記嵌合部の内周長は、前記パッキングの外周長より小さくなっていることを特徴とする。
【発明の効果】
【００１１】
本発明によれば、電子体温計のデザインにかかわらず、電子体温計において容易に確実に液密状態が得られるようにすることが可能となる。
【図面の簡単な説明】
【００１２】
【図１】（Ａ）は従来の電子体温計１００を示す図であり、（Ｂ）は従来の電子体温計１００の筐体キャップ１０３の挿入部１０３ａが部分的に筐体１０４に挿入された状態を示す図であり、（Ｃ）は従来の電子体温計１００の筐体キャップ１０３の挿入部１０３ａが完全に筐体１０４に挿入された状態を示す図である。
【図２】（Ａ）は従来の電子体温計２００において、筐体キャップ２０３と筐体２０４との接線を曲線にデザインした場合を示す図であり、（Ｂ）は従来の電子体温計２００の筐体キャップ２０３の挿入部２０３ａを筐体２０４に挿入する際に生じる問題点を示す図である。
【図３】第１の実施形態による電子体温計３００の正面図（Ａ）、側面図（Ｂ）、背面図（Ｃ）、及び平面図（Ｄ）である。
【図４】（Ａ）は第１の実施形態による電子体温計３００の筐体キャップ３０３と、筐体３０４とを示す正面図であり、（Ｂ）は筐体キャップ３０３の挿入部３０３ａが部分的に筐体３０４に挿入された状態を示す正面図であり、（Ｃ）は筐体キャップ３０３の挿入部３０３ａが完全に筐体３０４に挿入された状態を示す正面図である。
【図５】（Ａ）は第１の実施形態による電子体温計３００の筐体キャップ３０３と、筐体３０４とを示す側面図であり、（Ｂ）は筐体キャップ３０３の挿入部３０３ａが部分的に筐体３０４に挿入された状態を示す側面図であり、（Ｃ）は筐体キャップ３０３の挿入部３０３ａが完全に筐体３０４に挿入された状態を示す側面図である。
【図６】（Ａ）は第１の実施形態による電子体温計３００が平らな表面に置かれた状態を示す図であり、（Ｂ）は第１の実施形態による電子体温計３００の背面にある、たいらな表面と接する面積を灰色で示す図である。
【発明を実施するための形態】
【００１３】
以下、本発明の一実施形態について図面を参照しながら説明する。
【００１４】
＜１．電子体温計の外観＞
図３は、本発明の一実施形態にかかる電子体温計の外観を示す図であり、（Ａ）は正面図、（Ｂ）は側面図、（Ｃ）は背面図、そして（Ｄ）は平面図である。
【００１５】
図３に示されているように、電子体温計３００は従来の電子体温計１００に比べ全体的に滑らかな曲線で構成されている。そして、筐体キャップ３０３と筐体３０４も、そのデザインモチーフに従って全て曲線で構成されており、２つの部品が接する境目である接線３１０も滑らかな曲線を描いている。筐体キャップ３０３は、耐衝撃性の熱可塑性樹脂、例えばハイインパクト・スチロール樹脂で形成されている。筐体３０４は、耐衝撃性の熱可塑性樹脂、例えばブチレン、スチレン樹脂で形成されている。
【００１６】
図３（Ｂ）及び（Ｄ）に示されているように、電子体温計３００の側面は窪み３１０ａを持つ形状に形成されており、ユーザが電子体温計３００を掴んだとき、指先に心地よくフィットするような形をしている。このような形状をすることによって、電子体温計３００が掴みやすくなり、持ち運びが容易になり、サーミスタなどの測温部を内蔵した金属キャップ３０２の腋下への装着が容易になる。
【００１７】
図３（Ｃ）に示された電子体温計３００の背面には、電子体温計３００をテーブル等の平らな表面に置いたときにその表面と接し、電子体温計３００を安定させる突出部３０５及びほぼ半円形状の平面部３０６が設けられている。後で説明するように、突出部３０５及び平面部３０６は、曲線の輪郭を持つ電子体温計３００を安定させ、横転などの不意な動きを防ぐ。
【００１８】
＜２．キャップと筐体の嵌合＞
次に、電子体温計３００の筐体キャップ３０３と筐体３０４との嵌合について説明する。図４（Ａ）は、本実施形態にかかる電子体温計３００の、筐体キャップ３０３と筐体３０４とを示す正面図である。
【００１９】
筐体キャップ３０３は、筐体３０４の内部に挿入される挿入部３０３ａと、その挿入方向の先端に弾性のパッキング３０３ｂを装着する溝（不図示）を備えている。パッキング３０３ｂが装着された状態で挿入部３０３ａが一対の突起部３０３ｃの案内で筐体３０４の内部に挿入されると、パッキング３０３ｂは挿入部３０３ａと筐体３０４の内壁との間に挟まれて変形し、挿入部３０３ａと筐体３０４の内壁との間に存在する隙間を埋めることによって電子体温計３００を液密状態に保つ。
【００２０】
筐体３０４には、筐体キャップ３０３の挿入部３０３ａが挿入される挿入口と、その挿入口から筐体の先端部に向って形成された案内部３０４ａ及び嵌合部３０４ｂとを備える。図４（Ｂ）から明らかであるように、案内部３０４ａは、嵌合部３０４ｂより広く設計されており、挿入部３０３ａ及びパッキング３０３ｂの外周よりも一回り広くなっている。つまり、挿入部３０３ａは案内部３０４ａでは筐体３０４に対して嵌合されない。案内部３０４ａは、挿入部３０３ａとパッキング３０３ｂが筐体３０４に対して嵌合される嵌合部３０４ｂにまで挿入部３０３ａを案内する。その後、案内部３０４ａと嵌合部３０４ｂとの間にある段差においてパッキング３０３ｂの全体が筐体３０４の内壁に初めて接触することになる。
【００２１】
嵌合部３０４ｂは、挿入部３０３ａを収容できる最小限の内周長、つまり挿入部３０３ａの外周長とほぼ同じ大きさを持っている。又、図４（Ｃ）に示されているように、嵌合部３０４ｂはパッキング３０３ｂの外周長よりは小さくなっているため、挿入部３０３ａが完全に挿入されるとパッキング３０３ｂを圧縮し、変形させ、挿入部３０３ａと嵌合部３０４ｂとの間にあるわずかな隙間を完全に塞いで液密状態に密閉する。この段差においてパッキング３０３ｂの全体が一斉に圧縮されるため、均一な圧力がパッキング３０３ｂにかかり、容易に液密状態が得られるようになる。
【００２２】
このように、内周長の異なる案内部３０４ａと嵌合部３０４ｂとを筐体３０４の挿入口の内部に設けることによって、挿入部３０３ａを筐体３０４に挿入しても案内部３０４ａにおいては嵌合されなくなり、パッキング３０３ｂの全体は案内部３０４ａと嵌合部３０４ｂとの段差で初めて側壁に接触するようになる。そしてこの段差は筐体３０４の挿入口から挿入方向に向って内部に位置するため、筐体３０４と筐体キャップ３０３が接触する接線の形にかかわらず、均一な圧力をパッキング３０３ｂにかけることを可能とする。
【００２３】
図５は、電子体温計３００の筐体キャップ３０３と、筐体３０４とを示す側面図である。図４同様、挿入部３０３ａが案内部３０４ａによって段差まで案内され、パッキング３０３ｂが案内部３０４ａと嵌合部３０４ｂとの段差において一気に圧縮され、嵌合部３０４ｂにおいてキャップ３０３が筐体３０４に液密状態に嵌合される様子が示されている。このように、パッキング３０３ｂはその全体が筐体３０４の嵌合部３０４ｂに密着し、液密状態を保つ。
【００２４】
＜３．平らな表面上に置かれた電子体温計＞
次に、本実施形態にかかる電子体温計３００を、テーブル等の平らな表面上に置いた場合について説明する。
【００２５】
電子体温計３００はその輪郭が全て滑らかな曲線で構成されているため、テーブル等の上に置いた場合、安定せず転がったり揺らぐ恐れがある。そのような不意な動きによってテーブルから落下し、故障の原因となり得、又は元の場所から移動してしまい、ユーザにとって不便を感じる原因となり得る。
【００２６】
そのような不意な動きを防ぎ、電子体温計を安定させるために、電子体温計３００の背面には、突出部３０５と、幅６ｍｍ高さ６ｍｍ程度のほぼ半円状の平面部３０６とが、電子体温計３００の幅方向の中心位置に設けられている。図６は、本実施形態による電子体温計３００が平らな表面に置かれた状態を示す図である。図６（Ａ）に示されているように、電子体温計３００がデーブル等の平な表面に置かれると、突起部３０５は電子体温液３００の筐体３０４の前方に設けられ、平面部３０６は筐体３０４の後方に設けられているため、その背面の３か所で平らな表面と接触するようになる。
【００２７】
突出部３０５は、電子体温計３００の先端の方に形成されたくびれによって発生する平面と電子体温計との間の隙間を埋め、１つの接触点を提供する。平面部３０６は、電子体温計３００の丸まった背面を平坦に削ったような表面であり、電子体温計３００が平らな表面に置かれるとその表面に接面するようになっている。
【００２８】
図６（Ｂ）に示されているように、電子体温計３００が平らな表面に置かれた場合は、最も先端部にある金属キャップ３０２、突出部３０５、及び平面部３０６の３つの部位（灰色）で表面と接することになる。表面との接点は３点以上になるため、安定した状態を保つことができ、揺らぎや転がり等、不意な動きを効果的に防ぐことが可能となる。また、平面部の面積は、電子体温計３００を安定できる最小限の面積となっているため、体温計３００の全体的な曲線デザインを大きく変化させることなく、望ましい効果が得られるようになっている。
【００２９】
以上の説明から明らかなように、本実施形態では、筐体３０４の内部に径の異なる案内部３０４ａと嵌合部３０４ｂとを設け、案内部３０４ａでは筐体キャップ３０３の挿入部３０３ａが嵌合されないようにし、嵌合部３０４ｂではパッキング３０３ｂが圧縮され、挿入部３０３ａが嵌合されるよう構成した。
【００３０】
この結果、電子体温計３００の接線３１０のデザインにかかわらず、パックング３０３ｂに均一な圧力がかかるようにし、電子体温計３００において容易に液密状態が得られるようにすることが可能となった。
【００３１】
又、電子体温計３００の側面に窪みを持たせ、ユーザにとって持ちやすいようにした。又、電子体温計３００の背面に、突出部３０５と平面部３０６とを設け、電子体温計３００が平らな表面に置かれたとき、揺らぎや転がり等の不意な動きを防ぐことを可能とした。
【００３２】
＜４．他の実施形態＞
第１の実施形態では、筐体キャップと筐体との接線を曲線にしているが、本発明はこれに限らない。例えば、接線を三角形のように尖った形にデザインしても、パッキングは筐体の内部にある案内部と嵌合部との段差で初めて側壁と接触するようになるため、その手前の筐体の形がどんなものでもよい。したがって、複雑な接線をデザインしても、そのデザインにかかわらず均一にパッキングを圧縮することが可能である。接線をどのような形にするかは、電子体温計全体のデザインモチーフによって自由に選ぶことができる。
【００３３】
又、電子体温計を安定させる背面の構造は、平面部に限らず、様々な形が考えられる。例えば、平面部の代わりに、突出部を２つ設け、電子体温計の先端部にある金属キャップと共に三角形を描くように構成してもよい。この場合、３点以上が平らな表面と接することになるため、電子体温計を安定させることが可能となる。
【図１】
2011137668.tif 000003
【図２】
2011137668.tif 000004
【図３】
2011137668.tif 000005
【図４】
2011137668.tif 000006
【図５】
2011137668.tif 000007
【図６】
2011137668.tif 000008